(57)【特許請求の範囲】
【請求項１】
電子体温計と、前記電子体温計を収納する収納ケースとを有する電子体温計セットであって、
前記収納ケースは、
前記電子体温計を収容するための第１の空間と、
永久磁石を収容し、前記永久磁石が特定の方向へ自在に移動可能に設けられた第２の空間と、
前記永久磁石が前記特定の方向へ往復移動または回転移動することで生じる磁界の変化により誘導電流が発生するように設けられたコイルと、
前記コイルの両端に接続され、前記第１の空間において露出した給電端子とを備え、
前記電子体温計は、
前記収納ケースに収納された状態で前記給電端子と接触するように設けられた受電端子と、
前記受電端子から供給される、前記コイルが発生した誘導電流により充電される充電部とを備えることを特徴とする電子体温計セット。
【請求項２】
前記充電部による充電状態を報知する報知手段を更に備えることを特徴とする請求項１に記載の電子体温計セット。
【請求項３】
前記収納ケースまたは前記電子体温計は、前記コイルで発生した誘導電流を全波整流するための整流回路を更に備えることを特徴とする請求項１または２に記載の電子体温計セット。
【請求項４】
前記電子体温計は長手方向の軸に対して非対称となっており、前記収納ケースの前記第１の空間は前記電子体温計が所定の向きのみで収納できる形状を有することを特徴とする請求項１乃至３のいずれか１項に記載の電子体温計セット。
【請求項５】
前記報知手段は、前記電子体温計が体温計測の結果を表示するための表示部を利用して前記充電部における充電の完了を報知し、
前記収納ケースは前記電子体温計を収容した際に、前記表示部の表示の観察を可能とする窓を有することを特徴とする請求項２に記載の電子体温計セット。
【発明の詳細な説明】
【技術分野】
【０００１】
本発明は、被検者の体温を計測する電子体温計とその収納ケースを具備した電子体温計セットに関するものである。
【背景技術】
【０００２】
従来より、被検者の体温を計測する電子体温計として、水銀体温計の形状を踏襲した、細長い棒状の先端部に感温部を備え、被検者の腋下等に挟むことで体温の計測を行う電子体温計が一般的に知られている（特許文献１）。
【０００３】
このような電子体温計においては、当然のことながら、電子回路や温度検出のための温度センサ部を駆動するための電源が必要であり、一般には、小型の一次電池が電子体温計に内蔵される。このような一次電池は消耗品であり、一次電池の寿命が尽きてしまえば、電子体温計は動作しなくなる。一次電池を交換可能に構成した電子体温計も存在するが、液密性をより確実に維持するための工夫が必要となる。そこで、一次電池に代えて、太陽電池と二次電池（充電池）を利用することが提案されている（特許文献２）。すなわち、太陽電池により生じた電力により二次電池が充電され、充電された二次電池を電源として用いて電子体温計が駆動される。
【先行技術文献】
【特許文献】
【０００４】
【特許文献１】特開２００８−２０３０９６号公報
【特許文献２】特開２００７−１９８８６８号公報
【発明の概要】
【発明が解決しようとする課題】
【０００５】
しかしながら、二次電池を太陽電池で充電するためにそれなりの時間がかかる。また、体温計測中、電子体温計は被検者の脇の下に挟まれたり、衣服の下に隠されたりするため、太陽電池が安定して電力を供給できる環境にはなく、太陽電池から直接に供給される電力だけを用いて電子体温計を駆動することは困難である。
【０００６】
コンデンサは高速に充電され得るが、太陽電池を利用した充電である場合、周囲の環境により充電に要する時間は大きく異なってくる。例えば、直射日光下（１万〜１０万ルクス）では１０〜２０秒程度で体温計測が可能となるものの、室内光下（４００〜５００ルクス）では体温計測に使用可能な状態となるまでに２０分程度の充電時間が必要となってしまう。
【０００７】
以上のように、電子体温計のおかれている環境やコンデンサの充電残量によって体温計を使用できるようになるまでの待ち時間は変化し、環境によっては電子体温計を使用可能な状態にするまでにかなりの充電時間を要する場合がある。このため、使い勝手が悪いという課題がある。
【０００８】
本発明は上記の課題に鑑みてなされたものであり、電子体温計の使用の都度、短時間で充電を完了して、使用可能とする電子体温計セットを提供することを目的とする。
【課題を解決するための手段】
【０００９】
上記の目的を達成するための本発明の一態様による電子体温計セットは以下の構成を備える。すなわち、
電子体温計と、前記電子体温計を収納する収納ケースとを有する電子体温計セットであって、
前記収納ケースは、
前記電子体温計を収容するための第１の空間と、
永久磁石を収容し、前記永久磁石が特定の方向へ自在に移動可能に設けられた第２の空間と、
前記永久磁石が前記特定の方向へ往復移動または回転移動することで生じる磁界の変化により誘導電流が発生するように設けられたコイルと、
前記コイルの両端に接続され、前記第１の空間において露出した給電端子とを備え、
前記電子体温計は、
前記収納ケースに収納された状態で前記給電端子と接触するように設けられた受電端子と、
前記受電端子から供給される、前記コイルが発生した誘導電流により充電される充電部とを備える。
【発明の効果】
【００１０】
本発明によれば、電子体温計の使用の都度、短時間で充電を完了して、使用可能とすることができる。
【図面の簡単な説明】
【００１１】
【図１】実施形態による電子体温計セットの構成例を示す図である。
【図２】実施形態による電子体温計の外観を示す図である。
【図３】実施形態による収納ケースの構成例を説明する図である。
【図４】収納ケースに設けられた整流回路を説明する図である。
【図５】実施形態による電子体温計の制御構成の一例を示すブロック図である。
【図６】実施形態による電子体温計の動作を説明するフローチャートである。
【図７】電子体温計の、充電状態に関する表示例を示す図である。
【図８】第二実施形態の電子体温計１００における、充電状態通知のための処理を示すフローチャートである。
【図９】第三実施形態による収納ケースの構成を説明する図である。
【図１０】第四実施形態による電子体温計セットを説明する図である。
【図１１】長手方向に関して非対称な形状の電子体温計を適用した場合の、電子体温計セットを説明する図である。
【発明を実施するための形態】
【００１２】
以下、添付の図面を参照して本発明の好適な実施形態の一例について説明する。
【００１３】
＜第一実施形態＞
図１は本実施形態による電子体温計セットの構成例を説明する図である。本実施形態の電子体温計セットは、図１の（ａ）に示すように、電子体温計１００と、電子体温計１００を収容可能な収納ケース２００を備える。収納ケース２００はケース窓２５０を有し、図１の（ｂ）に示すように、電子体温計１００を収容した際に、電子体温計１００の表示部１０３を、ユーザがケース窓２５０を介して収納ケース２００の外から観察できるようになっている。
【００１４】
図２は本実施形態による電子体温計１００の外観を示す図である。図２の（ａ）に示されるように、対衝撃性のＡＢＳ樹脂等の熱可塑性樹脂で形成された筐体１０１には、体温の計測結果等を表示するための表示部１０３が設けられている。また、筐体１０１の先端は、温度サーミスタ等の温度検出素子を液密に内蔵する金属キャップ１０２が設けられている。表示部１０３は、透明の熱可塑性樹脂で形成された窓部とその中に設けられたＬＣＤで構成されている。表示部１０３の窓部と筐体１０１は、好ましくは２色成形等で液密構造となっている。図２の（ｂ）は、電子体温計１００を横から見た状態を示している。
【００１５】
更に、電子体温計１００の表示部１０３が設けられた面に対向する面には、図２の（ｃ）に示されているように、筐体１０１に内臓された充電部を充電するために外部からの電力供給を受け付ける受電端子１０４，１０５が、好ましくは液密構造にて設けられている。なお、充電部はスーパーキャパシタまたは２次電池等で構成され、電子体温計１００に必要な電力を供給するものであり、その詳細は後述する。なお、図２の（ｄ）に示すように、受電端子１０４，１０５を窪み形状の低部に設けるようにすれば、導電部に不用意に指が触れたりすることを防止できる。
【００１６】
このように充電部を電子体温計１００を駆動するための駆動電源として用いることで、電池交換が不要となり、測定開始／停止スイッチを設ける必要がなくなる。更に、金属キャップ１０２，表示部１０３，受電端子１０４，１０５を液密構造とすることで、水洗やアルコール等による消毒が可能となる。なお、電子体温計１００の全体の形状、表示部１０３や受電端子１０４，１０５の形状や配置等は図示のものに限られるものではない。また、表示部１０３も、ＬＣＤに限られるものではなく、ＬＥＤやＥＬなどを用いた構成としても良い。
【００１７】
図３は本実施形態による収納ケース２００の構成を説明する図である。ケース本体２０１と蓋部２０２を有する。図３の（ａ）に示されるように、ケース本体２０１には、電子体温計１００を収容するための第１の空間２０３が設けられている。第１の空間２０３は、電子体温計１００の外形に沿った形状を有する。したがって、図３の（ｂ）に示すように、収納ケース２００に電子体温計１００を収納して蓋部２０２を閉じると、蓋部２０２の内部に設けられたパッド２０２ａにより電子体温計１００は収納ケース２００の所定位置に略固定されるように収まる。また、第１の空間２０３の壁面には、給電端子２０４，２０５が第１の空間２０３内に露出するように設けられており、図３の（ｂ）の如く電子体温計１００が所定位置に収納されると、電子体温計の受電端子１０４，１０５が給電端子２０４，２０５と接触する。
【００１８】
第２の空間２０６には永久磁石２０８が非固定状態で収容されており、その外側にはコイル２０７が巻かれている。すなわち、第２の空間２０６は、永久磁石２０８が特定の方向（本例では矢印２０９の方向）へ自在に移動可能な空間を形成し、コイル２０７は、永久磁石２０８が特定の方向へ往復移動することで生じる磁界の変化により誘導電流が発生するように設けられている。したがって、ユーザが収納ケース２００を矢印２０９ａの方向に振って永久磁石２０８を矢印２０９の方向に往復移動させると、コイル２０７には電流が生じることになる。このとき、図３の（ｂ）に示すように電子体温計１００が収納されていれば、コイル２０７において発生した誘導電流は、コイル２０７の両端に接続された給電端子２０４，２０５から電子体温計の受電端子１０４，１０５を介して電子体温計１００へ供給され、誘導電流は後述する電子体温計内部の充電部を充電するのに用いられることになる。なお、コイル２０７に誘導電流を生じさせるための永久磁石２０８の移動は、往復移動に限られるものではない。たとえば、収納ケース２００にユーザが操作可能なハンドルを設けて永久磁石２０８を回転させることにより、コイル２０７をとおる磁束を変化させることで誘導電流が生じるようにしてもよい。
【００１９】
図４は、収納ケース２００に設けられた整流回路を説明する図である。上述したように永久磁石２０８の移動によりコイル２０７内の磁界が変化すると、コイル２０７には誘導電流が発生する。この誘導電流は永久磁石２０８の往復移動に応じて方向が反転する。そこで、本実施形態では、コイルで発生した誘導電流を全波整流するための整流回路２５１を収納ケース２００に設け、整流後の電流が給電端子２０４，２０５に供給されるようにしている。但し、整流回路２５１を収納ケース２００ではなく電子体温計１００に設けても良いことは、当業者には明らかである。
【００２０】
図５は、本実施形態にかかる電子体温計１００の構成を示す内部ブロック図である。電子体温計１００は、受電端子１０４，１０５から電流供給により充電される充電部１２０を有する。なお、本実施形態では、充電部１２０としてスーパーキャパシタを用いるものとするが、２次電池等を用いることもできる。電源部１３０は、充電部１２０から供給される電力を電子体温計１００内の各部へ供給する。また、逆流防止ダイオード１２１は、例えば受電端子１０４と受電端子１０５に指などが触れたりした場合に、受電端子１０４から指を介して受電端子１０５へ電流が流れるのを防止する。
【００２１】
更に、電子体温計１００は、温度計測部１５０と、演算制御部１４０と、出力部１０３と、ブザー１６０とを備える。
【００２２】
温度計測部１５０は、サーミスタ、コンデンサ、測温用ＣＲ発振回路等から構成されており、サーミスタにより検出された温度を発振信号として出力する。出力された発振信号はカウンタ１４５においてカウントされることで、デジタル量として出力される。なお、温度計測部１５０の構成は一例であって、これに限定されるものではない。
【００２３】
演算制御部１４０は、体温測定に必要なパラメータを格納したＥＥＰＲＯＭ１４１、計測した温度を時系列で記憶するためのＲＡＭ１４２、予測式の体温測定プログラム等を格納したＲＯＭ１４３、出力部１０３を制御するための表示制御部１４４、温度計測部１５０より出力された発振信号をカウントするカウンタ１４５、ＲＯＭ１４３の体温測定プログラムに従いＥＥＰＲＯＭ１４１に格納されたパラメータに従って演算を行う演算処理部１４６、カウンタ１４５及び表示制御部１４４を制御する制御回路１４７を備える。
【００２４】
ブザー１６０は、演算処理部１４６において体温測定処理が終了したことを、鳴動によりユーザに知らせる。
【００２５】
以上説明したように、本実施形態の電子体温計セットを使用するユーザは、電子体温計１００の使用に先立って、電子体温計１００を収納ケース２００に収納した状態で収納ケース２００を振り、電子体温計１００の充電部１２０を充電するという操作を行う。したがって、電子体温計１００の充電部１２０への充電が完了したことをユーザに通知する構成があった方が利便性が高い。
【００２６】
図６は、本実施形態の電子体温計１００における、充電状態通知のための処理を示すフローチャートである。上述したように、電子体温計１００を収納した収納ケース２００を振ることで充電部１２０にある程度まで充電が進むと、電源部１３０が演算制御部１４０への電力供給を開始し、これにより演算処理部１４６（ＣＰＵ）が起動する。演算処理部１４６は、起動すると、電源部１３０から充電電圧を取得する（Ｓ１０１）。次に、演算処理部１４６は、取得した充電電圧の充電完了状態（フル充電）における充電電圧に対する割合を算出し、算出した割合に応じて図７に示すように充電状態の表示を切り替える。図７の（ａ）〜（ｃ）では、算出した割合に応じて充電状態表示７０１が３段階に切り替わる様子を示している。このような表示により、充電の過程がユーザに提示される。図７の（ｃ）における充電状態表示７０１は充電が完了したことを示している。収納ケース２００に収納した状態で、ユーザはケース窓２５０を介して電子体温計１００の表示部１０３を観察することができるので、ユーザはいちいち電子体温計１００を収納ケース２００から取り出すことなく、充電状態を確認することができる。
【００２７】
その後、演算処理部１４６は充電電圧が閾値以上かどうかを判定し、閾値未満であれば体温計測の実行を不許可として処理をＳ１０１へ戻す（Ｓ１０５）。一方、充電電圧が閾値以上であれば体温計測の開始を許可する（Ｓ１０４）。本実施形態では、図７の（ｃ）に示す充電状態表示７０１を表示する条件とＳ１０３でＹＥＳに分岐する条件を同じとしている。したがって、ユーザは、充電状態表示７０１が図７の（ｃ）に示すようになったことを確認することで、電子体温計１００が体温計測可能になったものと判断することができる。なお、充電状態の表示は図７に示すような３段階に限られるものではなく、４段階以上であっても良いし、充電完了か否かの２段階の表示であっても良い。
【００２８】
以上のように、第１実施形態によれば、電子体温計１００を収納ケース２００に収納した状態で収納ケース２００をその長手方向に振ることにより、電子体温計１００の充電部１２０が充電される。電子体温計１００の表示部１０３にはそのときの充電状態が表示される。ユーザは、収納ケース２００のケース窓２５０を介して、収納ケース２００に収納された電子体温計１００の表示部１０３を観察することができ、充電の状態を容易に把握できる。また、一次電池を使用しないので電池切れの心配がなく、また、太陽電池と違って充電に光を必要としないため、夜間に薄暗い部屋でも電子体温計を直ちに使用可能な状態とすることができ、便利である。
【００２９】
＜第二実施形態＞
第一実施形態では、電子体温計１００の表示部１０３に充電状態を表示させることでユーザに充電の完了を通知したが、充電完了の通知方法はこれに限られるものではない。第二実施形態では、充電完了を報知する構成の他の例として、電子体温計１００が有するブザー１６０を利用する構成を説明する。なお、第二実施形態における体温計セット、電子体温計および収納ケースの構成は第一実施形態と同様であり、説明を省略する。
【００３０】
図８は第二実施形態の電子体温計１００における、充電状態通知のための処理を示すフローチャートである。充電部１２０においてある程度まで充電が進むと、電源部１３０が演算制御部１４０への電力供給を開始し、これにより演算処理部１４６（ＣＰＵ）が起動する。演算処理部１４６は、起動すると、電源部１３０から充電電圧を取得する（Ｓ２０１）。次に、演算処理部１４６は、Ｓ２０１で取得した充電電圧が閾値以上かどうかを判定する（Ｓ２０２）。ここで、充電電圧が閾値未満であった場合は、演算処理部１４６は当該電子体温計１００による体温計測の開始を不許可とし、処理をＳ２０１に戻す（Ｓ２０７）。
【００３１】
他方、充電電圧が閾値以上であれば、充電が完了しているため、演算処理部１４６は体温計測の開始を許可する（Ｓ２０３）。そして、演算処理部１４６は、収納ケース２００の給電端子２０４，２０５を介して充電のための電流が供給されているか否かを検出する（Ｓ２０４）。この判定は、たとえば、図５に示した充電部１２０と受電端子１０４との間に電流検出回路を設けることで行えばよい。或いは、電子体温計１００に加速度センサを設けて電子体温計１００が振られていることを検出することで、充電のための電流が供給されているか否かを判定してもよい。但し、この判定は、電子体温計１００が振られている場合には収納ケースから電流が供給されている状態であると仮定したものであり、電子体温計１００が単独で振られた場合も、電流供給ありと判定してしまうことになる。次にＳ２０５において収納ケース２００からの電流供給が検出されたか否かを判定し、電流供給が検出された場合は、演算処理部１４６はブザー１６０を鳴動して充電の完了をユーザに報知し（Ｓ２０６）、処理をＳ２０１に戻す。
【００３２】
以上説明したように、第二実施形態によれば、充電の完了が、電子体温計に設けられたブザーによって報知される。このブザーは、例えば体温計測の完了を報知するのに用いられるブザーと共用することができる。また、ブザーによる報知であるため、電子体温計１００の表示部１０３を観察する必要が無くなるので、ケース窓２５０は省略することができる。但し、電子体温計１００の受電端子１０４，１０５と収納ケース２００の給電端子２０４，２０５が接触する必要があるので、電子体温計１００を収納する際の向きは図１の（ａ）に示したようにしなければならない。したがって、ブザーによって充電完了の報知を行う構成であっても、ケース窓２５０を設けておけば、ユーザが電子体温計１００の収納時の方向を迷わなくて済む。
【００３３】
また、図１１に示すように、収納ケース２００’への電子体温計１００’の収納時における向きを規制するために、電子体温計１００’の金属キャップ１０２が設けられた細い部分を長手方向の中心軸からずらして設けるようにしてもよい。このように、電子体温計１００’の形状を長手方向の軸に対して非対称とし、収納ケース２００’の第１の空間２０３’もこれにあわせた形状とすることで、電子体温計１００’が所定の向きのみでしか収納できないようにすることができる。このような構成とすれば、収納ケース２００’の給電端子２０４，２０５と電子体温計１００の受電端子１０４，１０５が接触する向きでしか電子体温計を収納することができなくなり、電子体温計の収納時にユーザが収納方向を迷うことはない。
【００３４】
或いは、図１０により後述するように、電子体温計１００の対応する側面のそれぞれに受電端子１０４，１０５を設け、収納ケース２００にはこれに対応する位置に給電端子２０４，２０５を設けて、電子体温計１００をいずれの向きで収納しても充電可能となるようにしてもよい。但し、この場合は、図４に示す整流回路２５１を電子体温計１００側に設ける必要がある。すなわち、電子体温計１００内の受電端子１０４，１０５と充電部１２０との間に整流回路２５１を設ける必要がある。
【００３５】
以上のように、第二実施形態の電子体温計セットによれば、音により充電の完了を通知することが可能となる。
【００３６】
＜第三実施形態＞
第一実施形態の収納ケース２００では、電子体温計１００を収容するための第１の空間２０３に、永久磁石２０８が往復移動するための第２の空間２０６が付加されており、収納ケース２００の全体の大きさが電子体温計１００に比べて大きくなる。第三実施形態では、図９に示すように、第１の空間２０３における電子体温計１００の先端部が位置する部分の外周に第２の空間２０６を設け、永久磁石２０８には第１の空間２０３の前記部分を通すための中空を設けて永久磁石２０８が動くようにする。こうして、第三の実施形態では、第一実施形態の収納ケース２００よりも小型の収納ケースを提供する。
【００３７】
図９は第三実施形態による収納ケース２００の構成を説明する図である。第１の空間２１３、第２の空間２１６は、それぞれ図３の第１の空間２０３と第２の空間２０６に対応する。第三実施形態では、電子体温計１００の先端側が細くなっていることを利用して、第１の空間２１３の一部と第２の空間２１６が重複するようにしている。そのため、永久磁石２１８は中空部分を有し、この中空部分を第１の空間２１３の先端部が通るようになっている。したがって、第一実施形態の永久磁石２０８に比べて、第三実施形態の永久磁石２１８は中空部分が存在する分だけ磁束が減少し、充電効率は低下する。しかしながら、収納ケース２００の長さを短縮することができ、より携帯性に優れた電子体温計セットを提供することができる。
【００３８】
＜第四実施形態＞
上記実施形態では、電子体温計１００の受電端子１０４，１０５を表示部１０３に対向する面に設けたが、これに限られるものではない。例えば、受電端子１０４，１０５は電子体温計１００の別々の面に設けられても良い。たとえば、一方の受電端子を表示部１０３に対向する面に、他方の受電端子を電子体温計の側面に設けても良い。
【００３９】
図１０は第四実施形態による電子体温計セットを説明する図である。本実施形態では、図１０に示すように、電子体温計１００の両側面に受電端子１０４と受電端子１０５を配置した。また、その位置は、電子体温計１００の長手方向の中心軸に対して対称な位置とし、電子体温計１００を裏返しても（１８０度回転しても）常に受電端子が同じ位置に存在するようにしている。また、収納ケース２００においても、電子体温計１００の受電端子１０４，１０５の位置に合わせて給電端子２０４，２０５を設ける。このような構成によれば、電子体温計１００を収納ケース２００に収納した際には、電子体温計１００の向きによらず、受電端子と給電端子が接触するようになる。したがって、第１実施形態では収納ケース２００に設けていた整流回路２５１（図４）を電子体温計１００の受電端子１０４，１０５と充電部１２０の間に設けることで、電子体温計１００の向きによらず充電が可能となり、利便性が向上する。また、この場合、ケース窓２５０を収納ケース２００の対向する両面に設けることで、表示部１０３による充電状態の確認が容易に行えるようになる。
【００４０】
また、受電端子、給電端子の数は、２つずつに限られるものではない。たとえば、複数の受電端子１０４、複数の受電端子１０５、これらに対応した複数の給電端子２０４、複数の給電端子２０５を設けても良い。端子数を増やすことで、充電時の全体としての接触抵抗が減少するので、充電効率を向上できる。
【符号の説明】
【００４１】
１００：電子体温計  １０１：本体ケース  １０２：金属キャップ  １０３：表示部  １０４，１０５：受電端子  ２００：収納ケース  ２０１：ケース本体  ２０２：蓋部  ２０３：第１の空間  ２０４，２０５：給電端子  ２０６：第２の空間  ２０７：コイル  ２０８：永久磁石
【図１】
0005452376.tif 000002
【図２】
0005452376.tif 000003
【図３】
0005452376.tif 000004
【図４】
0005452376.tif 000005
【図５】
0005452376.tif 000006
【図６】
0005452376.tif 000007
【図７】
0005452376.tif 000008
【図８】
0005452376.tif 000009
【図９】
0005452376.tif 000010
【図１０】
0005452376.tif 000011
【図１１】
0005452376.tif 000012